(57)【特許請求の範囲】
【請求項１】
シャシの全周を囲みフロントケースとシャシで挟圧されるループ状のリブと、前記シャシ上のプリント基板に実装され前記フロントケースに設けられた透明板または透孔の下部に配置される部品を通す穴の周囲を囲みフロントケースとプリント基板で挟圧されるループ状の挟圧部と、の間が隙間なく膜状に連なる防水パッキングにおいて、
前記ループ状の挟圧部の周囲を囲むように有底スリットを形成し、
前記有底スリットは、前記防水パッキングの前記フロントケース側に凹部を設けず前記シャシ側にのみに設けた凹部により構成されている
ことを特徴とする携帯用通信機の防水パッキング。
【請求項２】
前記有底スリットは前記ループ状の挟圧部の周囲を部分的に囲むように形成された請求項１に記載された携帯用通信機の防水パッキング。
【請求項３】
シャシの全周を囲みフロントケースとシャシで挟圧されるループ状のリブと、前記ループ状のリブと連なるように一体に形成されフロントケースの穴から突出するキートップと、前記キートップと前記ループ状のリブとの間が切れ目のない膜で連なる防水パッキングにおいて、
前記キートップの周囲を囲むように有底スリットを形成し、
前記有底スリットは、前記防水パッキングの前記フロントケース側に凹部を設けず前記シャシ側にのみに設けた凹部により構成されている
ことを特徴とする携帯用通信機の防水パッキング。
【請求項４】
前記有底スリットは前記キートップの周囲を部分的に囲むように形成された請求項３に記載された携帯用通信機の防水パッキング。
【発明の詳細な説明】
【技術分野】
【０００１】
この発明は携帯用通信機に係わり、特に、その防水パッキングに関する。
【背景技術】
【０００２】
従来の携帯用通信機の防水パッキングの例を図４および図５により説明する。図４は従来の防水パッキングが用いられた携帯用通信機の例を示す分解斜視図、図５は同携帯用通信機の部分を示す断面図である。
【０００３】
図に示すシャシ２の上に締着されたプリント基板３にはメンブレンスイッチ３ａが設けられ、さらにＬＣＤ（液晶表示装置）１４、スピーカ１５およびマイクロホン１６が固定されている。なお、ＰＴＴスイッチ１２およびＰＴＴ作動つまみ１３は携帯用通信機の側面に配置され、回転つまみ１７、１７は携帯用通信機の上面に配置されている。
【０００４】
キートップ１１ｂ、スピーカ用穴１１ｃおよびＬＣＤ用穴１１ｄを有する前面用の防水パッキング１１はプリント基板３の上に被せられ、図５に詳しく示すように、ケース１０が防水パッキング１１を覆うように図示していないリアケースに締着される。キートップ１１ｂの裏面に設けられたスイッチ作動突起１１ｆはキートップ１１ｂを押したときに下動してメンブレンスイッチ３ａを作動させる。
【０００５】
ケース１０が防水パッキング１１を覆うように締着されるときに、キートップ１１ｂ、１１ｂ…はケース１０のキートップ挿通穴１０ｂ、１０ｂ…を挿通し、スピーカ１５はスピーカ用穴１１ｃを挿通し、スピーカ１５の上およびＬＣＤ１４の上にはケース１０の通音用長穴１０ａ、１０ａ…およびケース１０と一体の透明板１０ｃが配置される。なお、マイクロホン１６の上には防水パッキング１１のマイクロホン用薄膜１１ｅおよび通音用長穴１０ａが重なるように配置される。
【０００６】
上記の防水パッキング１１のキートップ１１ｂ、１１ｂ…の周囲およびスピーカ用穴１１ｃの周囲はプリント基板３とケース１０で挟圧され、防水パッキング１１周囲のリブ１１ａ（図５に詳しく示す）はシャシ２とケース１０で挟圧されて機器内部への水の侵入が防止される。
【０００７】
上記した従来の防水パッキング１１はキートップ１１ｂ、１１ｂ…の周囲およびスピーカ用穴１１ｃの周囲がプリント基板３とケース１０で挟圧されるが、防水パッキング１１の全周囲もシャシ２とケース１０で挟圧される。
【０００８】
そして、防水パッキング１１の全周囲が強圧されるときに、防水パッキング１１が周囲の外側に引張られて防水パッキング１１が変形する。そして、キートップ１１ｂ、１１ｂ…やスピーカ用穴１１ｃが位置ずれした状態で挟圧固定されることがあった。
【０００９】
このため、キートップ１１ｂ、１１ｂ…が位置ずれしてキートップ挿通穴１０ｂ、１０ｂ…と接触したりしてキートップ１１ｂ、１１ｂ…の操作感覚が損なわれたり、防水性能が劣化したりすることがあった。また、スピーカ用穴１１ｃの周囲が位置ずれすると、防水性能が劣化したり、スピーカに防水パッキングが圧接して音質が劣化することがあった。
【００１０】
特開平１１−２６９５２号公報に開示された従来の携帯通信機のパッキング構造は、スピーカ用パッキング部４とキートップ６とパッキングの外縁を一体成形してあり、パッキングの外縁が締着される。
【００１１】
この携帯通信機のパッキング構造によっても、パッキングの外縁が締着されときにスピーカ用パッキング部４とキートップ６が位置ずれして上記した問題が発生する。
【特許文献１】特開平１１−２６９５２号公報、段落０００９、図１
【発明の開示】
【発明が解決しようとする課題】
【００１２】
この発明は上記した点に鑑みてなされたものであって、その目的とするところは、透明板または透孔の下部に配置される部品を通す穴の周囲を囲みフロントケースとプリント基板で挟圧されるループ状の挟圧部が位置ずれ状態で強圧固定されることのない携帯用通信機の防水パッキングを提供することにある。
【課題を解決するための手段】
【００１３】
この発明の携帯用通信機の防水パッキングは、シャシの全周を囲みフロントケースとシャシで挟圧されるループ状のリブと、前記シャシ上のプリント基板に実装され前記フロントケースに設けられた透明板または透孔の下部に配置される部品を通す穴の周囲を囲みフロントケースとプリント基板で挟圧されるループ状の挟圧部と、の間が隙間なく膜状に連なる防水パッキングにおいて、前記ループ状の挟圧部の周囲を囲むように有底スリットを形成し、前記有底スリットは、前記防水パッキングの前記フロントケース側に凹部を設けず前記シャシ側にのみに設けた凹部により構成されているものである。
【００１４】
また、前記携帯用通信機の防水パッキングにおいて、前記有底スリットは前記ループ状の挟圧部の周囲を部分的に囲むように形成されたものである。
【００１５】
また、この発明の携帯用通信機の防水パッキングは、シャシの全周を囲みフロントケースとシャシで挟圧されるループ状のリブと、前記ループ状のリブと連なるように一体に形成されフロントケースの穴から突出するキートップと、前記キートップと前記ループ状のリブとの間が切れ目のない膜で連なる防水パッキングにおいて、前記キートップの周囲を囲むように有底スリットを形成し、前記有底スリットは、前記防水パッキングの前記フロントケース側に凹部を設けず前記シャシ側にのみに設けた凹部により構成されているものである。
【００１６】
また、前記携帯用通信機の防水パッキングにおいて、前記有底スリットは前記キートップの周囲を部分的に囲むように形成されたものである。
【発明の効果】
【００１７】
この発明の携帯用通信機の防水パッキングによれば、パッキングと一体に形成されたキートップやスピーカを挿通させる穴が位置ずれした状態で固定されないので、防水劣化したり、キートップの操作感覚が損なわれたりすることがない。
【発明を実施するための最良の形態】
【００１８】
以下この発明を実施するための最良の形態を実施例に即して説明する。図１はこの発明の実施例である防水パッキングが用いられた携帯用通信機の部分を示す断面図、図２は同防水パッキングを表側から見た斜視図、図３は同防水パッキングを裏側から見たを示す斜視図である。
【００１９】
図に示すシャシ２の上に締着されたプリント基板３にはメンブレンスイッチ３ａが設けられ、さらに、図示していないＬＣＤ、スピーカおよびマイクロホンが固定されている。キートップ４ｂ、スピーカ用穴４ｃおよびＬＣＤ用穴４ｄを有する前面用の防水パッキング４はプリント基板３の上に被せられ、図１に詳しく示すように、ケース１が防水パッキング４を覆うように図示していないリアケースに締着される。
【００２０】
キートップ４ｂ、４ｂ…の周囲には直線状有底スリット４ｇ、４ｇが形成され、スピーカ用穴４ｃの周囲らは円弧状有底スリット４ｈが形成されている。また、キートップ４ｂの裏面に設けられたスイッチ作動突起４ｆはキートップ４ｂを押したときに下動してメンブレンスイッチ３ａを作動させる。
【００２１】
ケース１が防水パッキング４を覆うように締着されるときに、キートップ４ｂ、４ｂ…はケース１のキートップ挿通穴１ｂ、１ｂを挿通し、スピーカはスピーカ用穴４ｃを挿通し、スピーカの上およびＬＣＤの上にはケース１の通音用長穴およびケース１と一体の透明板が配置される。なお、マイクロホンの上には防水パッキング４のマイクロホン用薄膜４ｅおよび通音用長穴が重なるように配置される。
【００２２】
上記の防水パッキング４のキートップ４ｂ、４ｂ…の周囲およびスピーカ用穴４ｃの周囲はプリント基板３とケース１で挟圧され、防水パッキング４周囲のリブ４ａはシャシ２とケース１で挟圧されて機器内部への水の侵入が防止される。
【００２３】
防水パッキング４にはさらにキートップ４ｂ、４ｂ…の周囲およびスピーカ用穴４ｃの周囲がプリント基板３とケース１で挟圧されるが、防水パッキング４の全周囲もシャシ２とケース１で挟圧される。
【００２４】
そして、防水パッキング４の全周囲が強圧されるときに、防水パッキング４が周囲の外側に引張られて防水パッキングが変形しようとする。しかしながら、その変形は直線状有底スリット４ｇおよび円弧状有底スリット４ｈにより遮られて、キートップ４ｂ、４ｂ…の周囲やスピーカ用穴４ｃの周囲に伝わらない。従って、キートップ４ｂ、４ｂ…の周囲やスピーカ用穴４ｃの周囲が位置ずれした状態で挟圧固定されることがない。
【００２５】
実施例は以上のように構成されているが発明はこれに限られず、例えば、ＬＣＤ用穴４ｄの周囲にも有底スリットを設けても良い。
【図面の簡単な説明】
【００２６】
【図１】この発明の実施例である防水パッキングが用いられた携帯用通信機の部分を示す断面図である。
【図２】同防水パッキングを表側から見た斜視図である。
【図３】同防水パッキングを裏側から見たを示す斜視図である。
【図４】従来の防水パッキングが用いられた携帯用通信機の例を示す分解斜視図である。
【図５】同携帯用通信機の部分を示す断面図である。
【符号の説明】
【００２７】
１  ケース、１ａ  通音用長穴、１ｂ  キートップ挿通穴
２  シャシ
３  プリント基板、３ａ  メンブレンスイッチ
４  防水パッキング、４ａ  リブ、４ｂ  キートップ、４ｃ  スピーカ用穴、４ｄ  ＬＣＤ用穴、４ｅ  マイクロホン用薄膜、４ｆ  スイッチ作動突起、４ｇ  直線状有底スリット、４ｈ  円弧状有底スリット
１０  ケース、１０ａ  通音用長穴、１０ｂ  キートップ挿通穴、１０ｃ  透明板
１１  防水パッキング、１１ａ  リブ、１１ｂ  キートップ、１１ｃ  スピーカ用穴、１１ｄ  ＬＣＤ用穴、１１ｅ  マイクロホン用薄膜、１１ｆ  スイッチ作動突起
１２  ＰＴＴスイッチ
１３  ＰＴＴ作動つまみ
１４  ＬＤＥ
１５  スピーカ
１６  マイクロホン
１７  回転つまみ
【図１】
0004983578.tif 000002
【図２】
0004983578.tif 000003
【図３】
0004983578.tif 000004
【図４】
0004983578.tif 000005
【図５】
0004983578.tif 000006